(57)【特許請求の範囲】
【請求項１】
蹴込が設けられているキャビネットであって、
底板と、
前記底板の前側に立設される蹴込板と、
該蹴込板を前記底板に固定する固定具と
を備え、
前記蹴込板は、
一面を前記底板に向けて前記底板の前側に配される蹴込板本体と、
前記底板の上面よりも上側に配され、前記蹴込板本体の上端部から後向きに突出する上側突出部と、
前記上面よりも下側に配され、前記蹴込板本体の下端部から後向きに突出する下側突出部と
を有し、
前記固定具は前記蹴込板本体よりも後側に配され、
前記底板に上側から固定される底側取り付け部と、
前記上側突出部に取り付けられる上側取り付け部と、
前記下側突出部に取り付けられる下側取り付け部と
を有し、
前記上側取り付け部及び前記下側取り付け部の前記上側突出部及び前記下側突出部への取り付け手段は、前記底側取り付け部の前記底板への固定手段とは異なることを特徴とするキャビネット。
【請求項２】
蹴込が設けられているキャビネットであって、
底板と、
前記底板の前側に立設される蹴込板と、
該蹴込板を前記底板に固定する固定具と
を備え、
前記蹴込板は、
一面を前記底板に向けて前記底板の前側に配される蹴込板本体と、
前記底板の上面よりも上側に配され、前記蹴込板本体の上端部から後向きに突出する上側突出部と、
前記上面よりも下側に配され、前記蹴込板本体の下端部から後向きに突出する下側突出部と
を有し、
前記固定具は前記蹴込板本体よりも後側に配され、
前記底板に上側から取り付けられる底側取り付け部と、
前記上側突出部に取り付けられる上側取り付け部と、
前記下側突出部に取り付けられる下側取り付け部と
を有し、
前記上側突出部及び下側突出部は夫々断面Ｌ字状をなし、
前記底側取り付け部は、前記底板に上側からネジ留めされる板状をなし、
前記上側取り付け部は、前記底側取り付け部の周縁部から上向きに立ち上がり、上端部が前記蹴込板本体と前記上側突出部とに囲繞された空間に挿入されて前記上側突出部の前側から前記上側突出部に係合する板状をなし、
前記下側取り付け部は、前記底側取り付け部の周縁部から下向きに垂れ下がり、下端部が前記蹴込板本体と前記下側突出部とに囲繞された空間に挿入されて前記下側突出部の前側から前記下側突出部に係合する板状をなすことを特徴とするキャビネット。
【請求項３】
前記固定具は、金属製のコ字状平板を折り曲げることによって形成されていることを特徴とする請求項１又は２に記載のキャビネット。
【発明の詳細な説明】
【技術分野】
【０００１】
本発明は、蹴込が設けられているキャビネットに関する。
【背景技術】
【０００２】
特許文献１に記載のキッチンキャビネットは、床より高い位置に配される底板と、底板の前端縁よりも奥まった位置に垂設された蹴込板とを備える。
蹴込板は、断面Ｌ字状の金具で、底板の下面に連結されている。金具は、底板に下側から取り付けられ、蹴込板に前側から取り付けられる。この場合、金具は底板及び蹴込板に例えばネジ留めされる。
【先行技術文献】
【特許文献】
【０００３】
【特許文献１】特開２０１１−１５２２９２号公報
【発明の概要】
【発明が解決しようとする課題】
【０００４】
しかしながら、特許文献１に記載のキッチンキャビネットの場合、金具は蹴込板の前側に配される。故に、蹴込を覗き込むと金具を視認することができるので、美観を損なう虞がある。
【０００５】
本発明は斯かる事情に鑑みてなされたものであり、その主たる目的は、美観を向上させることができるキャビネットを提供することにある。
【課題を解決するための手段】
【０００６】
本実施の形態に係るキャビネットは、蹴込が設けられているキャビネットであって、底板と、前記底板の前側に立設される蹴込板と、該蹴込板を前記底板に固定する固定具とを備え、前記蹴込板は、一面を前記底板に向けて前記底板の前側に配される蹴込板本体と、前記底板の上面よりも上側に配され、前記蹴込板本体の上端部から後向きに突出する上側突出部と、前記上面よりも下側に配され、前記蹴込板本体の下端部から後向きに突出する下側突出部とを有し、前記固定具は前記蹴込板本体よりも後側に配され、前記底板に上側から固定される底側取り付け部と、前記上側突出部に取り付けられる上側取り付け部と、前記下側突出部に取り付けられる下側取り付け部とを有し、前記上側取り付け部及び前記下側取り付け部の前記上側突出部及び前記下側突出部への取り付け手段は、前記底側取り付け部の前記底板への固定手段とは異なることを特徴とする。
【０００７】
本実施の形態に係るキャビネットは、蹴込が設けられているキャビネットであって、底板と、前記底板の前側に立設される蹴込板と、該蹴込板を前記底板に固定する固定具とを備え、前記蹴込板は、一面を前記底板に向けて前記底板の前側に配される蹴込板本体と、前記底板の上面よりも上側に配され、前記蹴込板本体の上端部から後向きに突出する上側突出部と、前記上面よりも下側に配され、前記蹴込板本体の下端部から後向きに突出する下側突出部とを有し、前記固定具は前記蹴込板本体よりも後側に配され、前記底板に上側から取り付けられる底側取り付け部と、前記上側突出部に取り付けられる上側取り付け部と、前記下側突出部に取り付けられる下側取り付け部とを有し、前記上側突出部及び下側突出部は夫々断面Ｌ字状をなし、前記底側取り付け部は、前記底板に上側からネジ留めされる板状をなし、前記上側取り付け部は、前記底側取り付け部の周縁部から上向きに立ち上がり、上端部が前記蹴込板本体と前記上側突出部とに囲繞された空間に挿入されて前記上側突出部の前側から前記上側突出部に係合する板状をなし、前記下側取り付け部は、前記底側取り付け部の周縁部から下向きに垂れ下がり、下端部が前記蹴込板本体と前記下側突出部とに囲繞された空間に挿入されて前記下側突出部の前側から前記下側突出部に係合する板状をなすことを特徴とする。
【０００８】
本実施の形態に係るキャビネットは、前記固定具は、金属製のコ字状平板を折り曲げることによって形成されていることを特徴とする。
【０００９】
本実施の形態にあっては、固定具が、蹴込板本体の後側にて蹴込板を底板に固定する。即ち、固定具が蹴込板本体によって目隠しされるので、固定具が目立つことが抑制される。
固定具の底側取り付け部は底板に上側から取り付けられる。底板の上側には、通常、空間的な余裕があるので、固定具の底板に対する取り付け作業は容易である。
固定具の上側取り付け部及び下側取り付け部が、蹴込板の上側突出部及び下側突出部に取り付けられるので、蹴込板本体は前傾又は後傾し難い。
【００１０】
本実施の形態にあっては、固定具の上側取り付け部及び下側取り付け部が、蹴込板に囲繞された空間に挿入されて、蹴込板の上側突出部及び下側突出部に上側突出部及び下側突出部の前側から係合する。上側取り付け部及び下側取り付け部をネジ留めする必要がないので、上側取り付け部及び下側取り付け部を簡易に上側突出部及び下側突出部に取り付けることができる。
固定具の底側取り付け部を底板に上側からネジ留めする作業は、上側取り付け部及び下側取り付け部を上側突出部及び下側突出部に取り付けた後で行なえばよい。
【００１１】
本実施の形態にあっては、金属製のコ字状平板を折り曲げることによって、固定具を容易に得ることができる。
【発明の効果】
【００１２】
本実施の形態のキャビネットによる場合、固定具が目立ち難いので、キャビネットの美観を向上させることができる。
【図面の簡単な説明】
【００１３】
【図１】実施の形態に係るキャビネットの構成を略示する断面図である。
【図２】キャビネットの要部を略示する拡大断面図である。
【図３】キャビネットが備える蹴込板を略示する斜視図である。
【図４】キャビネットが備える固定具を略示する斜視図である。
【図５】キャビネットが備える底板への蹴込板の固定を示す模式的な断面図である。
【発明を実施するための形態】
【００１４】
以下、本発明を、その実施の形態を示す図面に基づいて詳述する。
【００１５】
図１は、実施の形態に係るキャビネットの構成を略示する断面図である。
図２は、キャビネットの要部を略示する拡大断面図である。
図中１はキャビネットであり、キャビネット１は、例えばキッチンキャビネットである。
キャビネット１は、キャビネット本体２、２個の抽斗３，３、蹴込板４、及び複数個の固定具５，５，…（図中１個だけ図示）を備えている。
キャビネット本体２は、第１側板２１、第２側板２２、背板２３、第１底板２４（底板）、第２底板２５、第１戸当たり桟２６、第２戸当たり桟２７、及び天板２８を備えている。
【００１６】
第１側板２１は箱状をなす。第１側板２１の底壁２１１は矩形状をなす。底壁２１１の４辺部からは、夫々Ｌ字状の断面を有する４つの側壁が立ち上がる。
第１側板２１は、底壁２１１が床に垂直になるよう配される。第１側板２１の下側壁は、床に接する。
キャビネット１は２枚の第１側板２１，２１を備える。第１側板２１，２１の底壁２１１，２１１は互いに平行に対面配置される。
以下では、第１側板２１，２１の対面方向を左右方向という。
【００１７】
第２側板２２は箱状をなす。第２側板２２の底壁２２１は帯板状をなす。底壁２２１の４辺部からは、夫々Ｌ字状の断面を有する４つの側壁が立ち上がる。
第２側板２２は、底壁２２１が第１側板２１の底壁２１１に面一になり、第２側板２２の上側壁が第１側板２１の上側壁に面一になるよう、第１側板２２に隣接配置される。第２側板２２の下側壁は、床から適長離隔する。
キャビネット１は２枚の第２側板２２，２２を備える。第２側板２２，２２の底板２２１，２２１は互いに平行に対面配置される。
以下では、第１側板２１から見て第２側板２２が隣接する側を前側という。
【００１８】
背板２３は箱状をなす。背板２３の底壁は矩形状をなし、床に垂直に配される。背板２３の底壁の４辺部からは、夫々Ｌ字状の断面を有する４つの側壁が立ち上がる。背板２３の下側壁は床に接する。背板２３の上側壁は第１側板２１，２１夫々の上側壁と面一である。
背板２３は、第１側板２１，２１夫々の後端部に亘って、第１側板２１，２１に取り付けられる。
【００１９】
第１底板２４は箱状をなす。第１底板２４の底壁２４１は矩形状をなし、底壁２４１の外面を上側に向けて、床に平行に配される。底壁２４１の４辺部からは、夫々Ｌ字状の断面を有する４つの側壁が垂下する。
第１底板２４は、第１底板２４の前側壁が第１側板２１，２１夫々の前側壁に面一になるよう、第１側板２１，２１に亘って、第１側板２１，２１に取り付けられる。
【００２０】
第２底板２５は箱状をなす。第２底板２５の底壁２５１は矩形状をなし、底壁２５１の外面を下側に向けて、床に平行に配される。底壁２５１の４辺部からは、夫々Ｌ字状の断面を有する４つの側壁が立ち上がる。底壁２５１の下面は、床から適長離隔する。底壁２５１の床からの高さは、第１底板２４の底壁２４１の床からの高さよりも高い。
第１底板２４は、第１底板２４の前側壁が第２側板２２，２２夫々の前側壁に面一になり、第１底板２４の後側壁が第１側板２１，２１夫々の前側壁に接するよう、第２側板２２，２２夫々の下壁部に亘って、第２側板２２，２２に取り付けられる。
【００２１】
上側戸当たり桟２６は箱状をなす。上側戸当たり桟２６の底壁は帯状をなし、背板２３の底壁に平行に配される。上側戸当たり桟２６の底壁は、第２側板２２，２２夫々の前側壁と面一であり、上側戸当たり桟２６の上側壁は第２側板２２，２２夫々の上側壁と面一である。
上側戸当たり桟２６は第２側板２２，２２夫々の前端部に亘る。上側戸当たり桟２６の長さ方向の両端部は、第２側板２２，２２に取り付けられている。
【００２２】
下側戸当たり桟２７は箱状をなす。下側戸当たり桟２７の底壁は帯状をなし、背板２３の底壁に平行に配される。下側戸当たり桟２７の底壁は第２側板２２，２２夫々の前側壁と面一である。
下側戸当たり桟２７は、上側戸当たり桟２６真下にて、第２側板２２，２２夫々の前端部に亘る。下側戸当たり桟２７の長さ方向の両端部は、第２側板２２，２２に取り付けられている。
【００２３】
第１側板２１、第２側板２２、背板２３、第１底板２４、第２底板２５、第１戸当たり桟２６、及び第２戸当たり桟２７夫々は、例えば金属製の平板を折り曲げることによって得られる。
キャビネット１の前部には、第２側板２２，２２、上側戸当たり桟２６、及び下側戸当たり桟２７に囲繞された第１の開放部と、第２側板２２，２２、第２底板２５、及び下側戸当たり桟２７に囲繞された第２の開放部が設けられている。
【００２４】
天板２８は板状をなし、第１側板２１，２１、第２側板２２，２２、背板２３、及び上側戸当たり桟２６に囲繞されている空間を上側から閉塞する。第１側板２１，２１、第２側板２２，２２、背板２３、及び上側戸当たり桟２６は、天板２８を下側から支持する。天板２８は、例えばステンレス製のワークトップである。
【００２５】
キャビネット１は、上下２段の抽斗３，３を夫々出没可能に収容する。抽斗３の前板３１は矩形平板状をなす。上段の抽斗３がキャビネット１に完全に没入している場合、前板３１は、第２側板２２，２２、上側戸当たり桟２６、及び下側戸当たり桟２７に囲繞された第１の開放部を閉塞する。下段の抽斗３がキャビネット１に完全に没入している場合、前板３１は、第２側板２２，２２、第２底板２５、及び下側戸当たり桟２７に囲繞された第２の開放部を閉塞する。
キャビネット１の使用者は、前板３１に設けられている図示しない凸状又は凹条の取っ手に手を掛けて、抽斗３をキャビネット１から引き出す。
【００２６】
蹴込板４は第１底板２４の前側に立設される。
図３は、蹴込板４を略示する斜視図である。
図２及び図３に示すように、蹴込板４は、蹴込板本体４１、上側突出部４２、及び下側突出部４３を有する。
蹴込板本体４１は帯板状をなす。蹴込板本体４１は、長手方向を左右方向に向け、蹴込板本体４１の一面を第１底板２４の前側壁に向けて、第１底板２４の前側に配される。
【００２７】
上側突出部４２は、蹴込板本体４１の上辺部から後向きに突出する。上側突出部４２は、蹴込板本体４１の全長に亘る断面Ｌ字状をなす。
上側突出部４２は、上側係合板４２１と、上側係合板４２１を支持する上側支持板４２２とを有する。
上側支持板４２２は帯板状をなす。上側支持板４２２は、一面を上向きにして、蹴込板本体４１の上辺部から後向きに突出する。上側支持板４２２の長さ方向は左右方向である。上側支持板４２２は、第２底板２５の底壁２５１の後辺部の下側に配される。上側支持板４２２の床からの高さは、第１底板２４の底壁２４１の上面の床からの高さよりも高い。
上側係合板４２１は帯板状をなす。上側係合板４２１は、一面を後向きにして、上側支持板４２２の後辺部から下向きに突出する。上側係合板４２１の長さ方向は左右方向である。上側係合板４２１の後面は第１側板２１，２１夫々の前側壁に接する。
【００２８】
下側突出部４３は、蹴込板本体４１の下辺部から後向きに突出する。下側突出部４３は、蹴込板本体４３の全長に亘る断面Ｌ字状をなす。
下側突出部４３は、下側係合板４３１と、下側係合板４３１を支持する下側支持板４３２とを有する。
下側支持板４３２は帯板状をなす。下側支持板４３２は、一面を下向きにして、蹴込板本体４１の下辺部から後向きに突出する。下側支持板４３２の長さ方向は左右方向である。下側支持板４３２は、上側係合板４２１の下側にて床に接触する。下側支持板４３２の床からの高さは、第１底板２４の底壁２４１の上面の床からの高さよりも低い。
下側係合板４３１は帯板状をなす。下側係合板４３１は、一面を後向きにして、下側支持板４３２の後辺部から上向きに突出する。下側係合板４３１の長さ方向は左右方向である。下側係合板４３１の後面は第１側板２１，２１夫々の前側壁に接する。
【００２９】
固定具５，５，…は、蹴込板４を第１底板２４に固定する。
図４は、固定具５を略示する斜視図である。
図２及び図４に示すように、固定具５は、底側取り付け部５１、上側取り付け部５２、及び下側取り付け部５３を有する。
底側取り付け部５１は矩形板状をなす。
底側取り付け部５１には、複数個のネジ挿通孔５１１，５１１，…が設けられている。図４に示す固定具５の場合、２個のネジ挿通孔５１１，５１１が、底側取り付け部５１の長手方向に並設されている。
【００３０】
また、底側取り付け部５１には、底側取り付け部５１に面一の腕部５１２，５１２が、底側取り付け部５１の長手方向に並設されている。腕部５１２，５１２は、底側取り付け部５１の長手方向両端部から同じ向きに突出している。
【００３１】
上側取り付け部５２は帯板状をなす。上側取り付け部５２は、一方の腕部５１２の先端部から立ち上がる。上側取り付け部５２は腕部５１２の一面に対して垂直であり、上側取り付け部５２の幅方向は底側取り付け部５１の長手方向と同じ向きである。
下側取り付け部５３は帯板状をなす。下側取り付け部５３は、他方の腕部５１２の先端部から垂れ下がる。下側取り付け部５３は腕部５１２の一面に対して垂直であり、下側取り付け部５３の幅方向は底側取り付け部５１の長手方向と同じ向きである。
下側取り付け部５３の長手方向の長さは、上側取り付け部５２の長手方向の長さよりも短い。
【００３２】
本実施の形態の固定具５は、例えば工場において、図４に想像線で示すコ字状平板５０を折り曲げることによって、容易に形成される。
コ字状平板５０は金属製である。コ字状平板５０は、２個の帯板状部分５０１，５０２を有する。帯板状部分５０１，５０２夫々の長手方向一端部は、帯板状部分５０１，５０２夫々に垂直な帯板状部分５０３によって面一に連結されている。帯板状部分５０１の長さは帯板状部分５０２の長さよりも長い。
固定具５の製造者は、帯板状部分５０１の長さ方向の中途を直角に折り曲げて上側取り付け部５２となし、帯板状部分５０２の長さ方向の中途を直角に折り曲げて下側取り付け部５３となす。帯板状部分５０１，５０２夫々の折り曲げ方向は互いに逆方向であり、帯板状部分５０１，５０２夫々の折り曲げ位置の帯板状部分５０３からの距離は等しい。
【００３３】
なお、固定具５はコ字状平板５０を折り曲げたものに限定されず、例えば一体成形されたものでもよく、別体の底側取り付け部５１、上側取り付け部５２、及び下側取り付け部５３を接合したものでもよい。
【００３４】
図５は、第１底板２４への蹴込板４の固定を示す模式的な断面図である。
キャビネット１の組み立て作業を行なう作業者は、まず、キャビネット本体２を組み立てる。
次に、作業者は、固定具５，５，…夫々について、上側取り付け部５２及び下側取り付け部５３を蹴込板４の内部に収容する。このために、作業者は、例えば上側取り付け部５２が蹴込板４の蹴込板本体４１に接近し、下側取り付け部５３が蹴込板４の蹴込板本体４１から離隔する方向に上側取り付け部５２及び下側取り付け部５３を傾斜させ、蹴込板４の上側係合板４２１と下側係合板４３１との間の空隙を通して、上側取り付け部５２及び下側取り付け部５３を蹴込板４の内部に収容する（図５に実線で示す固定具５参照）。或いは、作業者は、蹴込板４の長手方向一端部の開口を通して、上側取り付け部５２及び下側取り付け部５３を蹴込板４の内部に収容する。
【００３５】
次に、作業者は、蹴込板本体４１の外面を前側に向け、第２側板２２，２２夫々の下壁の下側にて下側支持板４３２を床に載置し、上側係合板４２１及び下側係合板４３１を第１側板２１，２１夫々の前側壁に接触させる。
次いで、作業者は、第２底板２５の上側からキャビネット本体２の内部に手を入れて、固定具５，５，…夫々を蹴込板４と第１底板２４とに取り付ける。以下では、１個の固定具５について説明する。
【００３６】
作業者は、固定具５の上側取り付け部５２を、蹴込板本体４１と上側突出部４２とに囲繞された空間に挿入し、上側取り付け部５２を上側突出部４２の上側係合板４２１の前側から上側係合板４２１に係合させる。
また、作業者は、固定具５の下側取り付け部５３を、蹴込板本体４１と下側突出部４３とに囲繞された空間に挿入し、下側突出部４３の下側係合板４３１の前側から上側取り付け部５２を上側係合板４２１に係合させる。
【００３７】
更に、作業者は、固定具５の底側取り付け部５１を第１底板２４の底壁２４１上に載置し、各ネジ挿通孔５１１に上側からネジ１１を通して、底側取り付け部５１を底壁２４１にネジ留めする。このために、第１底板２４は、例えば各ネジ挿通孔５１１に対応して底壁２４１に設けられている貫通孔と、各貫通孔に対応して底壁２４１の内面に取り付けられているナットとを有する。
【００３８】
以上の結果、固定具５は蹴込板本体４１よりも後側に配され、底側取り付け部５１は第１底板２４に上側から取り付けられ、上側取り付け部５２（及び下側取り付け部５３）は上側突出部４２（及び下側突出部４３）に取り付けられる。
第２底板２５の底壁の下面、蹴込板本体４１の前面、及び床に囲繞された空間は、キャビネット１の蹴込として機能する。
【００３９】
本実施の形態においては、少なくとも、上側取り付け部５２の上端部と上側支持板４２２とが離隔するか、又は、下側取り付け部５３の下端部と下側支持板４３２とが離隔するよう、固定具５の寸法が決定されている。故に、床の不陸又は蹴込板４の歪み等による位置ずれを吸収することができる。
【００４０】
キャビネット１は、２枚の化粧板６，６を更に備える。
化粧板６は矩形状をなす。一方の化粧板６は、キャビネット本体２の左側から、左側の第１側板２１及び第２側板２２と蹴込の左側の開口とを覆う。他方の化粧板６は、キャビネット本体２の右側から、右側の第１側板２１及び第２側板２２と蹴込の右側の開口とを覆う。
なお、蹴込板４は、左右方向に並置された複数個のキャビネット本体２，２，…に共通のものであってもよい。
【００４１】
以上のようなキャビネット１の場合、固定具５が、蹴込板本体４１の後側にて蹴込板４４を第１底板２４に固定する。即ち、固定具５が蹴込板本体４１によって目隠しされるので、固定具５が目立つことが抑制される。従って、キャビネット１の美観を向上させることができる。
【００４２】
固定具５の底側取り付け部５１は第１底板２４に上側から取り付けられる。第１底板２４の上側には空間的な余裕があるので、固定具５の第１底板２４に対する取り付け作業は容易である。
固定具５の上側取り付け部５２及び下側取り付け部５３が、蹴込板４の上側突出部４２及び下側突出部４３に取り付けられるので、蹴込板本体４１は前傾又は後傾し難い。
【００４３】
上側取り付け部５２及び下側取り付け部５３は、蹴込板４にネジ留めする必要がない。故に、蹴込板４への上側取り付け部５２及び下側取り付け部５３夫々の取り付けは簡易である。
なお、キャビネット本体２は金属製に限定されず、例えば木材製でもよい。蹴込板４又は固定具５は、金属製に限定されず、例えば合成樹脂製でもよい。
上側突出部４２又は下側突出部４３の断面はＬ字状に限定されない。また、上側突出部４２（又は下側突出部４３）は、係合によって上側取り付け部５２（又は下側取り付け部５３）に取り付けられる構成に限定されない。例えば上側突出部４２（又は下側突出部４３）は、ネジ留め、接着、嵌合、又は挟持によって上側取り付け部５２（又は下側取り付け部５３）に取り付けられる構成でもよい。
【００４４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、キャビネット１に、実施の形態に開示されていない構成要素が含まれていてもよい。
【符号の説明】
【００４５】
１      キャビネット
２４    第１底板（底板）
４      蹴込板
４１    蹴込板本体
４２    上側突出部
４３    下側突出部
５      固定具
５０    コ字状平板
５１    底側取り付け部
５２    上側取り付け部
５３    下側取り付け部
【図１】
0006770819.tif 000002
【図２】
0006770819.tif 000003
【図３】
0006770819.tif 000004
【図４】
0006770819.tif 000005
【図５】
0006770819.tif 000006